(57)【特許請求の範囲】
【請求項１】
動画データを取得する取得手段と、
前記取得手段により取得された前記動画データを用いて、第１の動画データと、前記第１の動画データよりも画素数の少ない第２の動画データとを生成する生成手段と、
複数の出力チャンネルのうちの少なくとも一つを用いて、前記生成手段により生成された前記第１の動画データを出力する出力手段であって、第１の数の前記第１の動画データを出力する第１の状態と、前記第１の数よりも大きい第２の数の前記第１の動画データを出力する第２の状態とをとり得る出力手段と、
前記生成手段により生成された前記第２の動画データを記録媒体に記録する記録手段と、
前記出力手段による前記第１の動画データの出力と並列に前記第２の動画データを前記記録媒体に記録するように前記出力手段と前記記録手段とを制御する制御手段とを備え、
前記出力手段は、前記複数の出力チャンネルのうちの、一つの前記第１の動画データを出力するために使用する前記出力チャンネルの数に基づいて、前記出力手段により出力される前記第１の動画データの数を決定し、
前記制御手段は、前記出力手段により出力される前記第１の動画データの数に応じて、前記記録手段により記録する前記第２の動画データの数を決定し、前記決定した数の前記第２の動画データを、前記出力手段による前記第１の動画データの出力と並列に前記記録媒体に記録するように、前記記録手段を制御することを特徴とする記録装置。
【請求項２】
前記出力手段は、互いに異なる複数のフォーマットのうちの何れかを用いて前記第１の動画データを出力し、前記複数のフォーマットのうちの、前記第１の動画データを出力するために使用する前記フォーマットに基づいて、一つの前記第１の動画データを出力するために使用する前記出力チャンネルの数を決めることを特徴とする請求項１に記載の記録装置。
【請求項３】
前記複数のフォーマットは、互いに伝送データレートが異なることを特徴とする請求項２に記載の記録装置。
【請求項４】
前記出力手段は、前記第１の動画データと並列に前記第２の動画データを出力し、前記制御手段は、前記出力手段により出力される前記第１の動画データの数と、前記出力手段により前記第１の動画データと並列に出力される前記第２の動画データの数とに基づいて、前記記録手段により記録する前記第２の動画データの数を決めることを特徴とする請求項１に記載の記録装置。
【請求項５】
前記制御手段は、前記出力手段により出力される前記第１の動画データの数に対して、前記第１の動画データと並列に出力される前記第２の動画データの数だけ少ない数を、前記記録手段により記録する前記第２の動画データの数とすることを特徴とする請求項４に記載の記録装置。
【請求項６】
前記制御手段は、前記制御手段により決められた数の前記第２の動画データを前記記録媒体に記録できない場合に、所定の警告を行うことを特徴とする請求項１に記載の記録装置。
【請求項７】
前記取得手段は、撮像手段を含むことを特徴とする請求項１に記載の記録装置。
【請求項８】
第１の装置と、前記第１の装置に接続された第２の装置とを有するシステムであって、前記第１の装置は、
動画データを取得する取得手段と、
前記取得手段により取得された前記動画データを用いて、第１の動画データと、前記第１の動画データよりも画素数の少ない第２の動画データとを生成する生成手段と、
複数の出力チャンネルの少なくとも一つを用いて、前記生成手段により生成された前記第１の動画データを出力する出力手段であって、第１の数の前記第１の動画データを出力する第１の状態と、前記第１の数よりも大きい第２の数の前記第１の動画データを出力する第２の状態とをとり得る出力手段と、
前記生成手段により生成された前記第２の動画データを記録媒体に記録する第１の記録手段と、
前記出力手段による前記第１の動画データの出力と並列に前記第２の動画データを前記記録媒体に記録するように前記出力手段と前記第１の記録手段とを制御する制御手段であって、前記出力手段により出力される前記第１の動画データの数に応じて、前記第１の記録手段により記録する前記第２の動画データの数を決定し、前記決定した数の前記第２の動画データを、前記出力手段による前記第１の動画データの出力と並列に前記記録媒体に記録するように、前記第１の記録手段を制御する第１の制御手段とを備え、
前記第２の装置は、
前記出力手段により出力された前記第１の動画データを前記複数の出力チャンネルに対応した複数の入力チャンネルを用いて入力する入力手段と、
前記入力手段により入力された前記第１の動画データを第２の記録媒体に記録する第２の記録手段とを備えることを特徴とする記録システム。
【請求項９】
動画データを取得する取得ステップと、
前記取得ステップにおいて取得された前記動画データを用いて、第１の動画データと、前記第１の動画データよりも画素数の少ない第２の動画データとを生成する生成ステップと、
第１の数の前記第１の動画データを出力する第１の状態と、前記第１の数よりも大きい第２の数の前記第１の動画データを出力する第２の状態とをとり得るステップであって、複数の出力チャンネルのうちの少なくとも一つを用いて、前記生成ステップにおいて生成された前記第１の動画データを出力するステップと、
前記出力するステップによる前記第１の動画データの出力と並列に、前記生成ステップにおいて生成された前記第２の動画データを記録媒体に記録するステップであって、前記出力するステップにより出力する前記第１の動画データの数に応じて、前記記録媒体に記録する前記第２の動画データの数を決定し、前記決定した数の前記第２の動画データを、前記第１の動画データの出力と並列に前記記録媒体に記録するステップとを備え、
前記出力するステップは、前記複数の出力チャンネルのうちの、一つの前記第１の動画データを出力するために使用する前記出力チャンネルの数に基づいて、前記出力するステップにより出力される前記第１の動画データの数を決定することを特徴とする記録方法。
【発明の詳細な説明】
【技術分野】
【０００１】
本発明は動画の記録装置、特に動画像およびその編集用の動画を記録する記録装置、記録方法および記録システムに関する。
【背景技術】
【０００２】
従来、動画像の分割、結合等の編集を行う場合、編集対象の動画よりも画面サイズが小さい編集用の動画を用意し、この編集用の動画を用いて編集点を決めた後、この編集点に基づいて編集対象の動画を編集することが行われている（例えば、特許文献１参照）。編集用の動画はプロキシとも呼ばれる。
【先行技術文献】
【特許文献】
【０００３】
【特許文献１】特開２００３−６１０４１号公報
【発明の概要】
【発明が解決しようとする課題】
【０００４】
プロキシを作成する場合、編集対象の元の動画を一旦復号し、画面サイズを縮小するなどの処理を施した後に、再度圧縮、符号化の処理を行う。そのため、プロキシを作成するために大変な時間がかかってしまう。
【０００５】
更に、複数の記録媒体に同時に動画を記録しておき、各記録媒体を別々の編集システムで編集することも考えられるが、この場合も、やはり、それぞれの編集システムにおいてプロキシを作成する必要があり、大変な時間と手間がかかっていた。
【０００６】
本発明はこの様な問題を解決し、迅速、且つ効率的に編集用の動画を作成、記録できるようにすることを目的とする。
【課題を解決するための手段】
【０００７】
本発明の一観点によれば、動画データを取得する取得手段と、前記取得手段により取得された前記動画データを用いて、第１の動画データと、前記第１の動画データよりも画素数の少ない第２の動画データとを生成する生成手段と、複数の出力チャンネルのうちの少なくとも一つを用いて、前記生成手段により生成された前記第１の動画データを出力する出力手段であって、第１の数の前記第１の動画データを出力する第１の状態と、前記第１の数よりも大きい第２の数の前記第１の動画データを出力する第２の状態とをとり得る出力手段と、前記生成手段により生成された前記第２の動画データを記録媒体に記録する記録手段と、前記出力手段による前記第１の動画データの出力と並列に前記第２の動画データを前記記録媒体に記録するように前記出力手段と前記記録手段とを制御する制御手段とを備え、前記出力手段は、前記複数の出力チャンネルのうちの、一つの前記第１の動画データを出力するために使用する前記出力チャンネルの数に基づいて、前記出力手段により出力される前記第１の動画データの数を決定し、前記制御手段は、前記出力手段により出力される前記第１の動画データの数に応じて、前記記録手段により記録する前記第２の動画データの数を決定し、前記決定した数の前記第２の動画データを、前記出力手段による前記第１の動画データの出力と並列に前記記録媒体に記録するように、前記記録手段を制御することを特徴とする記録装置が提供される。
【発明の効果】
【０００８】
本発明によれば、迅速、且つ効率的に編集用の動画を作成、記録が可能となる。
【図面の簡単な説明】
【０００９】
【図１】本発明の第１の実施形態に係わる記録装置を撮像装置に適用した場合の当該撮像装置の構成を示すブロック図である。
【図２】図１の記録装置と記録システムを構成する外部の記録装置の構成を示すブロック図である。
【図３】本発明の第１の実施形態に係わる記録装置の動作を示すフローチャートである。
【図４】図３の記録動作における編集用動画設定処理を示すフローチャートである。
【図５】ＳＤＩフォーマットでのビットレートを示す図である。
【図６】本発明の第１の実施形態に係わる記録装置が処理する動画データの画素配列を示す図である。
【図７】本発明の第１の実施形態に係わる記録システムにおける記録装置と外部記録装置の接続構成を示す図である。
【図８】本発明の第１の実施形態に係わる記録装置から出力される動画データとＳＤＩフォーマット及び出力チャンネルの数との関係を示す図である。
【図９】本発明の第１の実施形態に係わる記録装置の各チャンネルから出力される動画データと生成する動画データとの設定関係を示す図である。
【図１０】本発明の第１の実施形態に係わる記録装置の各チャンネルから出力される動画データと生成する動画データの関係を示す図である。
【図１１】本発明の第１の実施形態に係わる記録装置の各チャンネルから出力される動画データと生成する動画データの関係を示す図である。
【図１２】本発明の第１の実施形態に係わる記録装置における外部出力モード設定時の表示画面を示す図である。
【図１３】本発明の第１の実施形態に係わる記録装置において出力される動画データの構成を示す図である。
【発明を実施するための形態】
【００１０】
以下、本発明の実施形態について図面を参照して説明する。
【００１１】
（第１の実施形態）
本実施形態は、動画データを外部記録装置に記録するときの記録システムに本発明を適用したときの実施形態であり、当該記録システムは図７に示すような構成をとることが可能である。最初に、外部記録装置に動画データを出力する記録装置の構成を説明し、次いで外部記録装置の構成を説明する。
【００１２】
図１は、本実施形態に係る記録装置１００の装置構成例を示すブロック図である。本記録装置は、撮像部やカメラ信号処理部からの動画データだけでなく、外部から動画データを入力して記録することが可能であり、更に、入力する動画の画素数やフレームレートも適宜設定可能に構成されている。
図１において、撮像部１０１は不図示のレンズ、絞り、シャッタ等の光学系やＣＣＤ、ＣＭＯＳ等の撮像素子を有し、これらにより被写体を撮影して動画データを出力する。入力部１０１は、動画データや音声データを取得して出力する。本実施形態では、撮像部１０１の撮像素子は、１画面が横４０９６画素×縦２１６０画素で、毎秒６０フレームの動画を出力することができる。カメラ信号処理部１０２は、撮像部１０１からの動画データに対して必要な処理を施す。メモリ１０３は、動画データやその他のデータを記憶する。記録装置１００の各ブロックは、メモリ１０３に対してアクセスすることにより、必要な処理を行う。また、メモリ１０３は、動画データの他に、ファイルシステムの情報やユーザの設定情報などの管理情報など、各種の情報を記憶し、更に、制御部１１２による制御のためのワークメモリ等の役割を果たす。また、メモリ１０３は、データの記録時や再生時におけるバッファメモリの役割を果たす。
【００１３】
動画処理部１０４は、入力された動画データの画素数を変換する。また、動画処理部１０４は、記録時においては、記録すべき動画データをＭＰＥＧ等の公知の符号化方法により符号化して情報量を圧縮する。また、動画処理部１０４は、後述の様に、外部の記録装置に対して動画データを出力する場合、ユーザにより設定された出力形態に応じて動画データを変換する。また、動画処理部１０４は、再生時においては、再生された動画データを復号する。
【００１４】
記録媒体制御部１０５は、書き込み読み出し部１０６、１０７に対して、データの書き込み指示および読み出し指示を出力する。また、記録媒体制御部１０５は、書き込み読み出し部１０６、１０７に対し、記録すべきデータを出力し、また、書き込み読み出し部１０６、１０７より再生されたデータを受け取る。また、記録媒体制御部１０５は、書き込み読み出し部１０６、１０７より、記録媒体１０８、１０９が装着されているか否かの検出結果や、各記録媒体の記録容量の残量（記録残量）の情報などを受け取り、管理する。
【００１５】
書き込み読み出し部１０６、１０７は、記録媒体１０８、１０９に対し、動画データや各種の情報を書き込み、また、読み出すとともに、記録媒体の管理を行なう。例えば、記録媒体の装着の検出、装着された記録媒体の記録残量の取得する。書き込み読み出し部１０６、１０７は、記録時においては、動画データを記録媒体１０８や１０９に記録する。また、書き込み読み出し部１０６、１０７は、再生時においては、記録媒体１０８や記録媒体１０９から動画データを読み出し、記録媒体制御部１０５に送る。本実施形態では、記録媒体１０８、１０９は互いに独立した、別の記録媒体として構成され、ハードディスク（ＨＤＤ）、フラッシュメモリカード等、ランダムアクセスの記録媒体である。
【００１６】
また、記録媒体制御部１０５は、記録媒体１０８、１０９に記録する動画データや、各種の情報を、ＦＡＴ（File Allocation Table）等のファイルシステムに従い、ファイルとして管理する。また、記録媒体制御部１０５は、ＡＴＡ（AT Attachment）等の公知のインターフェイス（ＩＦ）を有し、制御部１１２における記録媒体ＩＦとの間でデータや各種のコマンドを通信する。また、不図示の装着、排出機構により、記録装置１００は記録媒体１０８、１０９を容易に装着、排出することができる構成とするが、記録装置１００に各記録媒体１０８、１０９或いは何れか一方が内蔵される構成でもよい。表示制御部１１０は、表示部１１１に画像やその他の情報、例えばユーザ設定情報、記録媒体に関する情報などを表示する。表示部１１１は、液晶表示装置や有機ＥＬ装置等を含む。
【００１７】
制御部１１２は、操作部１１３からの入力に応じて記録装置１００の動作全体を制御する。制御部１１２はマイクロコンピュータ（ＣＰＵ）やメモリ等を含み、不図示のメモリに記憶されたプログラム（ソフトウェア）に従って記録装置１００を制御する。また、制御部１１２は、記録媒体制御部１０５との間でデータやコマンドを通信するための記録媒体インターフェイスを内蔵している。操作部１１３は、ユーザにより操作可能な各種のスイッチを含み、ユーザによる各種の指示などを受理して制御部１１２へ通知する。また、操作部１１３は、電源スイッチや記録の開始、停止を指示するためのスイッチ、記録装置１００の記録モードなどの動作モードを切り替えるためのスイッチ等を含む。
【００１８】
制御部１１２は、記録媒体１０８、１０９に対して動画ファイルの書き込み、読み出しを行う場合、記録媒体制御部１０５を制御して、記録媒体１０８、１０９から、ファイルシステムデータ（管理データ）を読み出してメモリ１０５に記憶する。このファイルシステムデータは、記録媒体１０８、１０９に記録されたデータのファイル名やファイルのサイズ、データの記録アドレスなどを示すデータであり、ファイルを管理するための管理情報である。そして、制御部１１２は、読み出したファイルシステムデータに従ってファイルの書き込み、読み出しを制御する。制御部１１２は、記録媒体１０８、１０９へのファイルの書き込みに応じて、メモリ１０５に記憶されたファイルシステムデータを更新する。そして、更新したファイルシステムデータを、記録媒体制御部１０５により記録媒体１０８、１０９に記録する。
【００１９】
出力制御部１１４は、出力部１１５−１１８を複数の出力系統（チャンネル）として用いることにより、外部の記録装置に動画データを出力する。出力制御部１１４は、動画データを所定のフォーマットに適した形式に変換し、出力部１１５−１１８に出力する。本実施形態では、出力部１１５−１１８は、ＳＭＰＴＥ（the Society of Motion Picture and Television engineers）で規定されているＳＤＩ（Serial Digital Interface）規格に準拠したフォーマットで動画データを出力する。そのため、出力制御部１１４は、ＳＤＩフォーマットに適した形式の動画データに変換して出力する。出力部１１５−１１８はそれぞれ、出力制御部１１４より受け取った動画データを出力する。出力部１１５−１１８は、ＢＮＣ（Bayonet Neill Concelman）コネクタなどの接続部を有する。データバス１１９は各部の間でデータを受け渡すための伝送路である。
【００２０】
次に、記録装置１００における通常モードの記録処理について説明する。本実施形態では、記録する動画データの１フレームの画素数として、横４０９６画素×縦２１６０画素、横１９２０画素×縦１０８０画素、横７２０画素×縦４８０画素の三種類の何れかをユーザが選択することができる。本実施形態では、１フレームの画素数が横４０９６画素×縦２１６０画素の動画を４Ｋと呼び、横１９２０画素×縦１０８０画素の動画をＨＤと呼び、横７２０画素×縦４８０画素の動画をＳＤと呼ぶ。また、記録する動画データのフレームレート（単位時間あたりのフレーム数）として、５９．９４フレーム／秒（ｆｐｓ）、５０ｆｐｓ、２９．９７ｆｐｓ、２５ｆｐｓ、２４ｆｐｓ、２３．９８ｆｐｓの何れかをユーザが設定可能とする。ユーザは、操作部１１３を操作することにより、記録する動画の画素数とフレームレートを選択する。なお、動画データの画素数やフレームレートをこれら以外の値とすることも可能である。
【００２１】
制御部１１２は、操作部１１３により電源が投入されると各部を制御し、撮像部１０１により撮影された動画を表示部１１１に表示して記録装置１００を記録待機状態とする。記録待機状態において、操作部１１３より記録開始の指示があった場合、制御部１１２は、撮像部１０１及びカメラ信号処理部１０２に対して、指定されたフレームレートの動画データを出力するように指示する。カメラ信号処理部１０２は、指定されたフレームレートの４Ｋの動画データを出力し、メモリ１０３に記憶する。動画処理部１０４は、メモリ１０３に記憶された４Ｋの動画データを読み出し（第１の動画データ）、動画データの画素数をユーザにより指定された画素数に変換する。そして、動画処理部１０４は、変換した動画データ（第２の動画データ）を符号化してメモリ１０３に記憶する。
【００２２】
制御部１１２は、記録媒体制御部１０５に対し、動画の記録を開始するように指示する。記録媒体制御部１０５は、メモリ１０３より動画データを読み出し、記録媒体１０８、１０９のうちの一方に記録するために、書き込み読み出し部１０６、１０７の何れかに出力する。本実施形態では、ユーザは操作部１１３を操作することにより、記録媒体１０８、１０９のうちの一方を選択し、選択した方の記録媒体に動画データが記録される。また、記録媒体１０８、１０９の一方だけが装着されている場合、制御部１１２は、ユーザによる設定にかかわらず、装着されている方の記録媒体に動画データを記録するように記録媒体制御部１０５に指示する。
【００２３】
記録媒体制御部１０５は、制御部１１２からの指示に従い、メモリ１０３より読み出した動画データを書き込み読み出し部１０６、１０７の何れかに出力し、書き込みを指示する。書き込み読み出し部１０６、１０７は、受け取った動画データを記録媒体１０８、１０９に記録する。記録を開始した後、操作部１１３より記録停止の指示があった場合、制御部１１２は記録媒体制御部１０５に対して記録停止を指示し、記録媒体１０８、１０９に対する動画データの記録を停止する。また、制御部１１２は、動画処理部１０４に対し、画素数の変換、及び符号化処理を停止するように指示する。
【００２４】
次に、リレー記録について説明する。本実施形態では、一方の記録媒体への動画データの記録中に記録残量が無くなった場合に、ユーザが記録媒体の変更を指示しなくても他方の記録媒体に継続して動画データを記録する機能を持つ。この機能をリレー記録機能という。
【００２５】
本実施形態では、記録媒体１０８、１０９がともに装着されている場合、制御部１１２は、ユーザの指示に応じて、リレー記録を行うよう記録装置１００を制御する。ユーザは、操作部１１３を操作することにより、リレー記録を行うか否かを設定することができる。リレー記録が設定されている場合、制御部１１２は、前述のように動画の記録を開始した後、記録媒体制御部１０５より、動画データを記録している記録媒体の記録残量の情報を受け取る。そして、記録残量が所定の閾値よりも少なくなった場合、制御部１１２は、記録媒体制御部１０５に対し、現在記録中の記録媒体への記録を停止し、他方の記録媒体への記録を開始するように指示する。例えば、記録媒体１０８に動画データを記録中の場合、記録媒体制御部１０５は、制御部１１２からの指示により書き込み読み出し部１０６に記録停止を指示するとともに、書き込み読み出し部１０７に記録開始を指示する。書き込み読み出し部１０６は、記録停止の指示に応じて、記録媒体１０８への動画データの記録を停止し、書き込み読み出し部１０７は、記録開始の指示に応じて記録媒体１０９への動画データの記録を開始する。その後、操作部１１３より記録停止の指示があった場合、制御部１１２は記録媒体制御部１０５に記録停止を指示し、記録媒体１０９への動画データの記録を停止する。
【００２６】
次に、同時記録について説明する。本実施形態に係わる記録装置は、二つの記録媒体１０８、１０９に対して、同じ動画データを同時に記録する機能を持つ。この機能を同時記録機能という。
【００２７】
本実施形態では、記録媒体１０８、１０９がともに装着されている場合、ユーザは操作部１１３を操作することにより、同時記録を設定することができる。同時記録が設定された場合、制御部１１２は、記録開始の指示に応じて、記録媒体１０８、１０９の両方に動画データを記録するように記録媒体制御部１０５に指示する。記録媒体制御部１０５は、書き込み読み出し部１０６、１０７の両方に対し、動画データを出力し、記録開始を指示する。書き込み読み出し部１０６、１０７は、記録開始の指示に応じて、記録媒体１０８、１０９に動画データの記録を開始する。記録を開始した後、操作部１１３より記録停止の指示があった場合、制御部１１２は、記録媒体制御部１０５に記録停止を指示する。記録媒体制御部１０５は、書き込み読み出し部１０６、１０７に対し、記録媒体１０８、１０９への動画データの記録停止を指示する。書き込み読み出し部１０６、１０７は、記録停止の指示に応じて記録媒体１０８、１０９への記録を停止する。
【００２８】
次に、外部記録モードについて説明する。本実施形態では、外部出力モードにおいて、撮影された動画データを四つの出力部１１５−１１８より外部の記録装置に出力する。そして、ユーザによる記録開始、停止の指示に応じて、外部の記録装置に対して記録の開始および停止を指示することにより、出力された動画データが外部の記録装置で記録される。ユーザは操作部１１３を操作することにより、外部出力モードを設定することができる。また、外部出力モードを設定した場合も、ユーザは上述したように出力する動画データの画素数とフレームレートを設定することができる。
【００２９】
出力部１１５−１１８は、ＳＤＩ規格に従って動画データを出力する。図５は、ＳＭＰＴＥやＩＴＵ−Ｒ（International Telecommunication Union Radio communications Sector）で規定されているＳＤＩの種類と最大伝送ビットート及び使用するケーブルの数との関係を表している。ＳＤ−ＳＤＩは伝送ビットレートが２７０メガビット／秒（Ｍｂｐｓ）、ＨＤ−ＳＤＩは伝送ビットレートが１．４８５ギガビット／秒（Ｇｂｐｓ）、ＤｕａｌＬｉｎｋＳＤＩと３ＧＳＤＩは伝送ビットレートが２．９７０Ｇｂｐｓである。
【００３０】
図６は、外部出力モードにおいて出力する４Ｋの動画データの画素配列を示している。本実施形態では、４Ｋの動画データの画素配列を、撮像装置において従来から広く用いられているベイヤー配列としている。ベイヤー配列では、Ｒ（赤）とＧｒ（緑）を交互に配列したラインと、Ｇｂ（緑）とＢ（青）を交互に配列したラインの二つのラインを垂直方向に交互に配列している。そして、各画素を１０ビットのデータとして出力する。そのため、１フレームあたりのデータ量は、４０９６×２１６０画素×１０ビット＝８８．４７メガビットとなる。
【００３１】
出力する４Ｋの動画データのフレームレートが５９．９４ｆｐｓの場合、出力される動画データのビットレートは、８８．４７Ｍビット×５９．９４＝５．３０３ギガビット／秒（＞２．９７０Ｇｂｐｓ）となる。そのため、３ＧＳＤＩでこの動画データを出力する場合、２チャンネルに分割して出力する必要がある。また、ＤｕａｌＬｉｎｋＳＤＩでこの動画データを出力する場合、４チャンネルに分割して出力する必要がある。
【００３２】
また、出力する４Ｋの動画データのフレームレートが２９．９７ｆｐｓの場合、出力される動画データのビットレートは、８８．４７Ｍビット×２９．９７＝２．６５１ギガビット／秒となる。そのため、３ＧＳＤＩでこの動画データを出力する場合は１チャンネルにより出力することができる。また、ＤｕａｌＬｉｎｋＳＤＩでこの動画データを出力する場合、２チャンネルに分割して出力する必要がある。
【００３３】
本実施形態では、４Ｋの動画データを２チャンネルに分割して出力する場合、動画データを１フレーム毎に交互に各チャンネルに割り当てて出力する。そのため、各チャンネルで出力される動画データは、それぞれ、元の動画データのフレーム数を半分に減らした動画として出力される。そして、このように２つのチャンネルに分割されて出力された動画データを、例えば図２に示す外部の記録装置で受け取り、一つの動画データとして記録することができる。４Ｋ、５９．９４ｆｐｓの動画を２チャンネル（ＣＨ１、ＣＨ２）に分割して、記録装置１００（第１の記録装置）から外部の記録装置２００(第２の記録装置)に出力する記録システム構成を図７（ａ）に示す。
【００３４】
また、４Ｋの動画データを４チャンネルに分割して出力する場合、動画データを１フレーム毎に各チャンネルに対して順番に割り当てて出力する。そのため、各チャンネルで出力される動画データは、それぞれ、元の動画データのフレーム数を１／４に減らした動画データとして出力される。そして、このように４チャンネルに分割されて出力された動画データを外部の記録装置が受け取り、一つの動画データとして記録することができる。
【００３５】
出力する動画データと、各動画データを出力するために用いるチャンネルの数の関係を図８に示す。前述のように、ユーザは操作部１１３を操作することにより、出力する動画データの画素数とフレームレートを設定することができる。また、ユーザは、操作部１１３を操作することにより、出力系統（チャンネルＣＨ）毎に、出力する動画データの種類（画素数、及びフレームレート）と、動画データを出力するために用いるＳＤＩの種類を設定することができる。また、ユーザは、操作部１１３を操作することにより、チャンネル毎に動画データを出力するか否かを設定することができる。図１の出力部１１５−１１８は、チャンネル１−４に対応する。３ＧＳＤＩで４Ｋ、５９．９４ｆｐｓの動画を出力するためにはＳＤＩのチャンネルは二つ必要である。そのため、例えば、本実施形態では、ユーザがＣＨ１を３ＧＳＤＩに設定し、出力する動画データを４Ｋ、５９．９４ｆｐｓに設定した場合、ＣＨ２も自動的に３ＧＳＤＩに設定され、出力する動画データが４Ｋ、５９．９４ｆｐｓに設定される。
【００３６】
また、本実施形態では、外部出力モードにおいて、動画データを外部出力している際、同時に編集用の動画データ（プロキシデータ）を生成し、記録媒体１０８、１０９に記録する。４Ｋの動画データを外部に出力している場合、動画データの出力と並列に、出力中の動画データに対応したＨＤ、或いはＳＤの動画データを生成し、記録媒体１０８、１０９に記録する。また、外部出力モードにおいて、動画データを出力するために用いるチャンネルの数と、各チャンネルから出力される動画データの種類に応じて、必要な編集用の動画データの数を決定する。即ち、編集用動画データの生成数を決定する。本実施形態では、編集用の動画データとして、ＨＤの動画データを記録する。なお、編集用の動画データとして、ＳＤまたはＨＤのどちらを記録するかをユーザが選択できるようにしてもよい。また、本実施形態では、外部出力モードにおいて、４Ｋの動画データをＭＰＥＧにより符号化せずに出力する。
【００３７】
図３、図４は、外部出力モードに関連した記録装置１００の動作のフローチャートを示す。図３、図４の処理は、制御部１１２が記録装置１００の各部を制御することにより実行される。また、記録装置１００の電源オンの状態において、図３、図４の処理が繰り返し実行される。
【００３８】
記録待機状態において、制御部１１２は、外部出力モードに設定されているか否かを判別する（Ｓ３０１）。外部出力モードが設定されていない場合、制御部１１２は、前記のような通常モードの記録処理を実行する（Ｓ３１３）。また、外部出力モードが設定されていた場合、制御部１１２は、編集用の動画データの設定処理を実行する（Ｓ３０２）。
【００３９】
図４はＳ３０２の外部出力モードにおける編集用の動画データの設定処理を示すフローチャートである。制御部１１２は、出力する動画データの種類や、出力するチャンネルなどの設定が変化したか否かを判別する（Ｓ４０１）。前述のように、ユーザは操作部１１３を操作することにより、出力部１１５−１１８から出力する動画データの画素数やフレームレート、及び出力部１１５−１１８におけるＳＤＩフォーマットを設定することができる。制御部１１２は、ユーザによりこれらの設定が変更されたか否かを判別する。設定が変化していた場合、制御部１１２は、動画データの出力時に、並列に編集用の動画データを記録するように設定されているか否かを確認する（Ｓ４０２）。ユーザは、操作部１１３を操作することにより、外部出力モードにおいて動画データの出力時に編集用の動画データを記録するか否かを設定することができる。編集用の動画データの記録が設定されていない場合には、制御部１１２は、編集用の動画データの記録を停止するように設定する（Ｓ４１９）。
【００４０】
編集用の動画データを記録する設定であった場合、制御部１１２は、記録媒体制御部１０５より、記録媒体１０８、１０９が装着されているか否かの検出結果と、各記録媒体の記録残量の情報を取得する。そして、これらの情報に基づいて、各記録媒体に対して編集用の動画データを記録可能か否か判別する（Ｓ４０３）。何れの記録媒体も装着されていない場合、或いは何れの記録媒体の記録残量も無い場合、制御部１１２は編集用の動画データを記録できないと判断し、表示部１１１に警告を表示する（Ｓ４２０）。そして、制御部１１２は、編集用の動画データの記録を停止するように設定する（Ｓ４１９）。
【００４１】
また、少なくとも何れかの記録媒体に編集用の動画データを記録可能であった場合、制御部１１２は、出力する動画データの画素数やフレームレート、及び出力部１１５−１１８に対するＳＤＩの設定状態の情報を取得する。そして、制御部１１２は、これらの情報に基づいて、動画データを出力するために用いるチャンネルの数を決定する（Ｓ４０４）。例えば、図８に示すように、動画データが４Ｋ、５９．９４ｆｐｓで、ＳＤＩの設定が３ＧＳＤＩとなっていた場合、制御部１１２は、動画データを出力するために用いるチャンネルの数を２に決定する。
【００４２】
次に、制御部１１２は、出力される動画データに対し、データの多重設定が有効になっているか否かを判定する（Ｓ４０５）。本実施形態では、外部出力モードにおいて出力される動画データに対し、記録開始、停止を指示するコマンドデータを多重して出力することができる。ユーザは、操作部１１３を操作することにより、このコマンドデータを多重するか否かを設定することができる。そして、ユーザによりコマンドデータの多重設定がされていない場合、制御部１１２は、コマンドデータを多重する設定をオンにして、多重設定をオンにした旨の情報を表示部１１１に表示する（Ｓ４０６）。なお、ユーザおよび制御部１１２が設定した動画データの出力状態の情報を多重することも可能であり、それを操作部１１３で設定し、また表示部１１１で表示するようにすることも可能である。
【００４３】
次に、制御部１１２は、出力する動画データの画素数やフレームレート、及び出力部１１５−１１８に対するＳＤＩの設定状態の情報に基づいて、外部の記録装置への記録指示に応じて生成する編集用の動画データの数を決定する（Ｓ４０７）。なお、本実施形態では、ＨＤ、或いはＳＤの動画データを出力する場合には編集用の動画データを生成しないものとする。しかし、ＨＤの動画データを出力している場合に、ＳＤの動画データを編集用の動画データとして生成することも可能であり、そのような設定および処理構成にすることも可能である。
【００４４】
図９〜図１２は、外部出力モードにおいて４Ｋの動画データを出力する場合に、各チャンネルで出力される動画データと各チャンネルに設定されたＳＤＩの設定状態とに対応した編集用動画データの数を示している。
【００４５】
図９の９０１は、４チャンネルを全て使って４Ｋの動画を出力する状態１を示している。例えば、ＳＤＩの設定がＤｕａｌＬｉｎｋＳＤＩで、動画データが４Ｋ、６０ｆｐｓの場合である。この場合、９０２に示すように、出力されている４Ｋの動画に対する必要な編集用動画データの数は一つであり、記録装置１００で生成、記録する編集用の動画データは一つである。
【００４６】
図１０の１００１は、２つのチャンネルを使って４Ｋの動画を出力する状態２−５を示している。例えば、状態４では、チャンネル１、２を使って４Ｋの動画を出力している。また、チャンネル３がＨＤ−ＳＤＩまたはＳＤ−ＳＤＩに設定されているので、このチャンネル３から出力されるＨＤ或いはＳＤの動画データが編集用の動画データであると判断する。この場合、１００２に示すように、出力されている４Ｋの動画に対する必要な編集用の動画像数は一つであるが、記録装置１００では編集用の動画データを生成する必要がない。従って、本実施形態の構成では、制御部１１２が編集用の動画データを生成、記録しないように設定する。
【００４７】
図１１の１１０１、１１０２は、１つのチャンネルを使って４Ｋの動画を出力する状態６−１５を示している。例えば、状態１４では、チャンネル１を使って４Ｋの動画を出力している。また、チャンネル２がＨ−ＳＤＩ／ＳＤ−ＳＤＩに設定されているので、このチャンネル２から出力されるＨＤ或いはＳＤの動画データが編集用の動画データであると判断する。この場合、１１０３に示すように、出力されている４Ｋの動画に対する必要な編集用の動画像数は一つであるが、記録装置１００では編集用の動画データを生成する必要がない。なお、図１０、図１１において、一つのチャンネルから出力される動画の種類とＳＤＩの設定状態との組が変わらなければ、チャンネル１−４と、動画データ及びＳＤＩの設定状態との組み合わせは変わってもよい。例えば、状態１４ではチャンネル３に４Ｋの動画データ及び３ＧＳＤＩを設定し、チャンネル４にＨＤ或いはＳＤの動画データ及びＨＤ／ＳＤＳＤＩを設定することも可能である。なお、１００２、１１０３において、設定保持と記載している場合は、ユーザによる設定状態に従って動作する。
【００４８】
このように生成すべき編集用の動画データの数を決定した後、制御部１１２は編集用の動画データを生成する必要があるか否かを判定する（Ｓ４０８）。編集用の動画データを生成する必要がない場合、即ち、図１０、図１１で生成すべき編集用の動画データの数が０であった場合、制御部１１２は編集用の動画データの記録を停止するように設定する（Ｓ４１９）。また、編集用の動画データを生成する場合、制御部１１２は複数の編集用の動画データを生成する必要があるか否かを判別する（Ｓ４０９）。
【００４９】
複数の編集用の動画データを生成する必要がある場合、制御部１１２は二つの記録媒体１０８、１０９に動画データを記録可能か否か判別する（Ｓ４１０）。二つの記録媒体１０８、１０９に動画データを記録可能である場合、制御部１１２は同時記録が設定されているか否かを判定する（Ｓ４１１）。同時記録が設定されていない場合、制御部１１２は同時記録を有効に設定し、更に同時記録を設定したことを表示部１１１に表示する（Ｓ４１２）。
【００５０】
また、Ｓ４０９で、複数の編集用の動画データを生成しない場合、制御部１１２は二つの記録媒体１０８、１０９に動画データを記録可能か否か判別する（Ｓ４１５）。二つの記録媒体１０８、１０９に動画データを記録可能である場合、制御部１１２はリレー記録が設定されているか否かを判別する（Ｓ４１６）。リレー記録が設定されていない場合、制御部１１２はリレー記録を有効に設定し、更にリレー記録を設定したことを表示部１１１に表示する（Ｓ４１７）。そして、制御部１１２は、編集用の動画データの記録先として、二つの記録媒体のうち残量が多い方を選択する（Ｓ４１８）。
【００５１】
次に、制御部１１２は、必要な数の編集用の動画データを記録可能であるか否か判別する（Ｓ４１３）。そして、制御部１１２は、必要な数の編集用の動画データを記録することができない場合、表示部１１１に警告を表示する（Ｓ４１４）。例えば、Ｓ４１０で二つの記録媒体に動画データを記録することができない場合、制御部１１２は、一方の記録媒体に編集用の動画データを記録し、外部記録装置に記録される４Ｋの動画データに対して編集用の動画データが不足している旨を表示部１１２に表示する。また、図１０の状態６では、チャンネル１−４それぞれから、４Ｋの動画が出力される。従って、各動画に対応する編集用の動画データの数は４個である。しかし、記録装置１００では、二つの記録媒体１０８、１０９に対して同時に編集用の動画データを記録可能であるので、記録装置１００において記録可能な編集用の動画データの数は最大で２個である。このように、必要な編集用の動画データの数よりも、記録装置１００で記録可能な編集用の動画データの数の方が少ない場合、制御部１１２は、表示部１１１に編集用の動画データの数の方が少ない旨の情報を表示する。
【００５２】
また、制御部１１２は、外部出力モードが設定された場合に各出力部から出力される動画データの画素数とフレームレート、及び各チャンネルに対するＳＤＩの設定を示す情報を表示部１１１に表示する。図１２は、外部出力モードにおける表示画面の例を示す図である。表示画面１２０１は、例えば、図１０の状態５における表示画面の様子を示している。１２０２は各チャンネルに設定されたＳＤＩのフォーマットと出力される動画の画素数の情報である。また、１２０３はフレームレート、１２０４は記録媒体の情報を示している。
【００５３】
このように編集用の動画データの設定処理が終了すると、制御部１１２は、動画処理部１０４に対し、ユーザの設定に対応した動画データを生成するように指示する。例えば、図１０の状態４が設定されていた場合、動画処理部１０４は、指定されてフレームレートの４Ｋの動画データと、ＨＤまたはＳＤの動画データとを生成する。出力制御部１１４は、設定に応じて各動画データを対応するチャンネルから出力する（Ｓ３０３）。次に、制御部１１２は、操作部１１３により記録開始が指示されたか否かを判別する（Ｓ３０４）。記録開始の指示があった場合、制御部１１２は、出力部１１５−１１８から出力されている動画データに対し、記録開始を指示するコマンドデータを多重するように出力制御部１１４に指示する（Ｓ３０５）。出力制御部１１４は、出力されている動画データに記録開始のコマンドデータを多重して各出力部１１５−１１８に出力する。
【００５４】
図１３は本実施形態において出力部１１５−１１８から出力される動画データの構成を示す図である。本実施形態では、ＳＤＩ規格に従って動画データを出力する。図１３は、１フレームの動画データを示している。１フレームの動画データは、水平ラインの終了を示すＥＡＶ、補助データであるＨアンシラリ(ancillary)、水平ラインの開始を示すＳＡＶ、補助データであるＶアンシラリ、有効画像領域から構成される。本実施形態では、Ｖアンシラリにおける所定の水平ラインに記録開始、停止のコマンドデータを多重して出力する。また、ユーザおよび制御部１１２が設定した動画データの出力状態の情報も同様に多重することが可能である。
【００５５】
次に、制御部１１２は、編集用の動画データを記録する設定となっているか否かを判別する（Ｓ３０６）。編集用の動画データを記録しない場合、制御部１１２は、操作部１１３より記録停止の指示があったか否かを判別する（Ｓ３１１）。記録停止の指示が無い場合、そのまま動画データを出力する。また、記録停止の指示があった場合、制御部１１２は、各出力部１１５−１１８から出力されている動画データに対し、記録停止を指示するコマンドデータを多重するように出力制御部１１４に指示する（Ｓ３１２）。出力制御部１１４は、出力されている動画データに記録停止のコマンドデータを多重して出力部１１５−１１８に出力する。
【００５６】
また、Ｓ３０６で、編集用の動画データを記録する設定となっていた場合、制御部１１２は動画処理部１０４を制御して、図４の処理により設定された数の編集用の動画データを生成する。そして、制御部１１２は、記録媒体制御部１０５に対し、編集用の動画データを記録するように指示する（Ｓ３０７）。記録媒体制御部１０５は、制御部１１２より指定された記録媒体に対し、編集用の動画データを記録するように書き込み読み出し部１０６、１０７に指示する。このとき、記録媒体１０８、１０９の両方に編集用の動画データを記録する場合、記録媒体制御部１０５は、前述の同時記録の処理と同様に、編集用の動画データを二つの記録媒体１０８、１０９に記録するように書き込み読み出し部１０６、１０７に指示する。
【００５７】
また、二つの記録媒体１０８、１０９の一方に編集用の動画データを記録し、更にリレー記録が設定されていた場合、記録媒体制御部１０５は前述のリレー記録の処理を行う。即ち、記録媒体制御部１０５は、一方の記録媒体の残量が無くなると、他方の記録媒体を選択して編集用の動画データの記録を継続する。
【００５８】
このように編集用の動画データの記録を開始した後、制御部１１２は記録停止の指示があったか否かを判別する（Ｓ３０８）。記録停止の指示があった場合、制御部１１２は、各出力部１１５−１１８から出力されている動画データに対し、記録停止を指示するコマンドデータを多重するように出力制御部１１４に指示する（Ｓ３０９）。出力制御部１１４は、出力されている動画データに記録停止のコマンドデータを多重して各出力部１１５−１１８に出力する。次に、制御部１１２は、記録媒体制御部１０５に対し、編集用の動画データの記録を停止するように指示する（Ｓ３１０）。記録媒体制御部１０５は、編集用の動画データの記録を停止するように書き込み読み出し部１０６、１０７に指示する。
【００５９】
次に、記録装置１００から出力された動画データを受け取って記録する外部の記録装置について説明する。図２は外部記録装置２００の構成を示すブロック図である。本実施形態では、図８（ｂ）、或いは図８（ｃ）に示すように、記録装置１００と外部の記録装置２００とを、ＳＤＩに対応したケーブル３００により接続することにより、記録装置１００から外部の記録装置２００に動画データを出力する。図８（ｃ）は、２台の記録装置２００を記録装置１００に接続した状態を示している。
【００６０】
図２において、入力部２０１−２０４は複数の入力系統(チャンネル)であり、それぞれＳＤＩフォーマットに従って記録装置１００から出力された動画データを入力する。入力制御部２０５は、制御部２１１により設定された各入力部のＳＤＩフォーマットや動画データの種類に基づいて、入力された動画データを入力してメモリ２０６に出力する。
【００６１】
メモリ２０６は、動画データやその他のデータを記憶する。記録装置２００の各ブロックは、メモリ２０６に対してアクセスすることにより必要な処理を行う。また、メモリ２０６は、動画データの他に、ファイルシステムの情報や、管理情報など、各種の情報を記憶し、更に制御部１１２による制御のためのワークメモリ等の役割を果たす。また、メモリ２０６は、データの記録時や再生時におけるバッファメモリの役割を果たす。
【００６２】
動画処理部２０７は、動画データの画素数を変換する。また、動画処理部２０７は、記録された動画データが符号化されている場合、再生された動画データを復号する。また、動画処理部２０７は、再生された動画データを出力する場合、ユーザにより設定された出力形態に応じて動画データを変換する。
【００６３】
記録媒体制御部２０８は、書き込み読み出し部２０９に対して、データの書き込み、読み出し指示を出力する。また、記録媒体制御部２０８は、書き込み読み出し部２０９に対し、記録すべきデータを出力し、また書き込み読み出し部２０９より再生されたデータを受け取る。また、記録媒体制御部２０８は、書き込み読み出し部２０９より、記録媒体２１０の記録残量の情報などを受け取る。
【００６４】
書き込み読み出し部２０９は、記録媒体２１０に対し、動画データや各種の情報の書き込みおよび読み出しを行なう。書き込み読み出し部２０９は、記録時においては、動画データを記録媒体２１０に記録する。また、書き込み読み出し部２０９は、再生時においては、記録媒体２１０から動画データを読み出し、記録媒体制御部２０８に送る。本実施形態では、記録媒体２１０は、記録装置２００に内蔵されたハードディスク（ＨＤＤ）、フラッシュメモリカード等、ランダムアクセスの記録媒体である。記録媒体２１０は、不図示の装着、排出機構により、記録装置１００に対して記録媒体１０８、１０９を容易に装着、排出することができるように構成してもよい。
【００６５】
また、記録媒体制御部２０８は、記録媒体２１０に記録する動画データや各種の情報を、ＦＡＴ（File Allocation Table）等のファイルシステムに従いファイルとして管理する。また、記録媒体制御部１０５は、ＡＴＡ（AT Attachment）等の公知のインターフェイス（ＩＦ）を有し、制御部２１１における記録媒体ＩＦとの間でデータや各種のコマンドを通信する。
【００６６】
制御部２１１は、操作部２１２からの入力に応じて記録装置２００の動作全体を制御する。制御部２１１はマイクロコンピュータやメモリ等を含み、不図示のメモリに記憶されたプログラムに従って記録装置２００を制御する。また、制御部２１１は、記録媒体制御部２０８との間でデータやコマンドを通信するための記録媒体インターフェイスを内蔵している。操作部２１２は、ユーザにより操作可能な各種のスイッチを含む。そして、操作部２１２は、ユーザによる各種の指示などを受理して制御部２１１へ通知する。また、操作部２１２は、電源スイッチや記録の開始、停止を指示するためのスイッチ、記録装置２００のモードを切り替えるためのスイッチ等を含む。
【００６７】
制御部２１１は、記録媒体２１０に対して動画ファイルの書き込み、読み出しを行う場合、記録媒体制御部２０８を制御して、記録媒体２１０からファイルシステムデータ（管理データ）を読み出してメモリ２０６に記憶する。このファイルシステムデータは、記録媒体２１０に記録されたデータのファイル名やファイルのサイズ、データの記録アドレスなどを示すデータであり、ファイルを管理するための管理情報である。そして、制御部２１１は、読み出したファイルシステムデータに従ってファイルの書き込み、読み出しを制御する。制御部２１１は、記録媒体２１０へのファイルの書き込みに応じて、メモリ２０６に記憶されたファイルシステムデータを更新する。そして、更新したファイルシステムデータを記録媒体制御部２０８により記録媒体２１０に記録する。表示制御部２１３は、表示部２１４に画像やその他の情報を表示する。表示部２１４は、液晶表示装置や有機ＥＬ装置等を含む。出力部２１５は、入力された動画データや再生された動画データを外部に出力する。
【００６８】
次に、記録装置２００において、入力部２０１−２０４により入力された動画データを記録媒体に記録する際の処理を説明する。
【００６９】
ユーザは操作部１１３を操作することにより、各入力部２０１−２０４より入力される動画データの画素数やフレームレート、及び入力部２０１−２０４におけるＳＤＩフォーマットを設定することができる。ユーザは、記録装置１００の出力部１１５−１１８に設定した動画データの画素数やフレームレート、及びＳＤＩフォーマットに合わせて、各入力部２０１−２０４を設定することにより、記録装置１００から出力された動画データを入力して記録することができる。
【００７０】
ユーザは、記録装置２００の電源を投入後、記録装置１００の出力部１１５−１１８と入力部２０１−２０４とをＳＤＩフォーマットに従うケーブルで接続し、前記の通り各入力部２０１−２０４により入力される動画データやＳＤＩフォーマットを設定する。そして、記録装置１００が外部出力モードに設定されると、記録装置１００より各入力部２０１−２０４に動画データが入力される。
【００７１】
この記録待機状態において、ユーザが操作部２１２を操作して記録開始を指示すると、制御部２１１は入力部２０１−２０４より入力されている動画データを記録媒体２１０に記録するように指示する。このとき、ユーザは、入力部２０１−２０４から入力されている動画データのうち、記録すべき動画データを選択することができる。また、ユーザは、入力部２０１−２０４から入力されている動画データのうち、選択した動画データを一つにまとめて（一つの動画ファイルとして）記録するように指示することができる。即ち、図９の状態１のように、４Ｋの動画データが４つのチャンネルに分割されて出力されている場合、入力部２０１−２０４にはこれら４つのチャンネルの動画データが入力されている。ユーザは、入力部２０１−２０４を一つにまとめて記録するように設定することで、４Ｋ、フレームレート５９．９４ｆｐｓの動画データとして記録媒体２１０に記録することができる。また、ユーザが操作部２１２を操作して記録停止を指示すると、記録媒体２１０への動画データの記録を停止する。
【００７２】
また、前述のように、入力制御部２０５は、記録装置１００から出力された動画データに多重されている記録開始、停止のコマンドデータを検出し、制御部２１１に送る。制御部２１１は、記録開始のコマンドデータに応じて、入力部２０１−２０４から入力されている動画データの記録を開始する。また、制御部２１１は、記録停止のコマンドデータに応じて、入力部２０１−２０４から入力されている動画データの記録を停止する。この場合、受信した動画データに記録装置における出力状態の情報が多重されていれば、それを検出して入力部の設定を行なうようにしてもよい。
【００７３】
本実施形態では、記録開始から記録停止までの間に記録した動画データを一つのファイルとして管理している。また、入力部２０１−２０４から入力されている動画データを一つにまとめて記録するように設定している場合、一つにまとめられた動画データを一つの動画ファイルとして管理する。
【００７４】
このように、本実施形態においては、外部出力モードにおいて動画データを外部の記録装置などに出力する場合、動画データの出力と並列に編集用の動画データを生成し、自己の記録媒体に記録する。そのため、後で編集用の動画データを生成する必要がない。また、本実施形態では、出力される動画データの画素数やフレームレート、及び動画データの出力チャンネルの数に基づいて生成する編集用の動画データの数を決定している。そのため、複数の動画データを外部記録装置で記録した場合に、各動画データに対応した数の編集用の動画データを生成することができる。
【００７５】
なお、本実施形態では、記録装置１００が二つの記録媒体に動画データを記録する構成であったが、三つ以上の記録媒体に動画データを同時に記録可能な構成としてもよい。また、ＳＤＩフォーマット以外のフォーマットに従って動画データを出力することも可能である。また、外部に出力される動画データよりも画素数が少ない動画データを編集用の動画データとして記録したが、外部に出力する動画データよりも情報量が少ない動画データを編集用の動画データとすることも可能である。また、本実施形態では、四つの出力部を備え、これら４チャンネルの出力部を使って動画データを出力したが、チャンネル数はこれに限られず、複数のチャンネルを用いることができる。
【００７６】
また、本実施形態では、本発明を撮像装置に適用した例を説明したが、これに限るものではない。例えば、パーソナルコンピュータなどの入出力手段、表示手段および記録手段を備えた情報処理装置またはこれとサーバなどの外部記録装置を接続した記録システムに適用してもよい。
【００７７】
前述した本発明の実施形態に係わる記録装置を構成する各手段並び制御方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００７８】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００７９】
なお、本発明は、前述した実施形態の機能を実現するソフトウェアのプログラムを、システムまたは装置に直接、または遠隔から供給する場合も含む。そして、そのシステムまたは装置のコンピュータが前記供給されたプログラムコードを読み出して実行することによっても達成される場合を含む。
【００８０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００８１】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００８２】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００８３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８４】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００８５】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００８６】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【００８７】
上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図１】
0005930748.tif 000002
【図２】
0005930748.tif 000003
【図３】
0005930748.tif 000004
【図４】
0005930748.tif 000005
【図５】
0005930748.tif 000006
【図６】
0005930748.tif 000007
【図７】
0005930748.tif 000008
【図８】
0005930748.tif 000009
【図９】
0005930748.tif 000010
【図１０】
0005930748.tif 000011
【図１１】
0005930748.tif 000012
【図１２】
0005930748.tif 000013
【図１３】
0005930748.tif 000014